【手続補正書】
【提出日】平成27年6月25日(2015.6.25)
【手続補正１】
【補正対象書類名】明細書
【補正対象項目名】発明の名称
【補正方法】変更
【補正の内容】
【発明の名称】撮像装置
【手続補正２】
【補正対象書類名】特許請求の範囲
【補正対象項目名】全文
【補正方法】変更
【補正の内容】
【特許請求の範囲】
【請求項１】
固体撮像素子用の撮像装置であって、物体側から像側に向かって順に、開口絞りと、
光軸近傍で物体側に凸面を向けた正の屈折力を有する第１レンズと、
光軸近傍で正のメニスカス形状の第２レンズと、
光軸近傍で像側に凸面を向けた正の屈折力を有する第３レンズと、
光軸近傍で像側に凹面を向けた負の屈折力を有する第４レンズと、
１／５インチ以下の大きさの撮像素子とで構成され、
全てのレンズの両面が非球面で形成され、前記第４レンズの像側の非球面には光軸上以外の位置に変極点を有し、以下の条件式（１）、（２）を満足することを特徴とする撮像装置。
（１）    ０．７５＜ＴＬＡ／（２ＩＨ）＜０．９０
（２）    ０．９０＜ＴＬＡ／ｆ＜１．３０
ただし、
ＴＬＡ：第４レンズと撮像素子間に配置されたフィルタを取り外した際の第１レンズの物体側の面から撮像素子の撮像面までの光軸上の距離
ＩＨ：最大像高
ｆ：撮像レンズ全系の焦点距離
【請求項２】
以下の条件式（３）を満足することを特徴とする請求項１に記載の撮像装置。
（３）        ０．４＜ｆ１／ｆ３＜５．５
ただし、
ｆ１：第１レンズの焦点距離
ｆ３：第３レンズの焦点距離
【請求項３】
以下の条件式（４）、（５）を満足することを特徴とする請求項１又は請求項２に記載の撮像装置。
（４）    ５０≦νｄ≦７０
（５）    νｄ１＝νｄ２＝νｄ３＝νｄ４
ただし、
νｄ：第１レンズから第４レンズのアッベ数
νｄ１：第１レンズのアッベ数
νｄ２：第２レンズのアッベ数
νｄ３：第３レンズのアッベ数
νｄ４：第４レンズのアッベ数
【請求項４】
以下の条件式（６）を満足することを特徴とする請求項１または請求項２に記載の撮像装置。
（６）    −２０．０＜（ｒ１＋ｒ２）／（ｒ１−ｒ２）＜−０．５０
ただし、
ｒ１：第１レンズの物体側の面の曲率半径
ｒ２：第１レンズの像側の面の曲率半径
【請求項５】
以下の条件式（７）を満足することを特徴とする請求項１または請求項２に記載の撮像装置。
（７）    １．００＜ｆ１２３／    ｜ｆ４｜＜１．２０
ただし、
ｆ１２３：第１レンズ、第２レンズ、第３レンズの合成焦点距離
ｆ４：第４レンズの焦点距離
【請求項６】
前記１／５インチ以下の大きさの撮像素子は、５メガピクセル以下の画素数を有する撮像素子であることを特徴とする請求項１または請求項２に記載の撮像装置。
【請求項７】
前記第１レンズの物体側の面から前記第２レンズの像側の面のうち、少なくとも１面に回折光学面を設けることを特徴とする請求項１または請求項２に記載の撮像装置。
【手続補正３】
【補正対象書類名】明細書
【補正対象項目名】０００４
【補正方法】変更
【補正の内容】
【０００４】
本発明は上記従来技術の課題に鑑みてなされたものであり、小型で、比較的画角が広く、低Ｆ値を持ち、収差が良好に補正された撮像レンズを備えた撮像装置を提供することにある。特に、センサーサイズの縮小化に対応する、薄型の撮像レンズを備えた撮像装置を提供することにある。
【手続補正４】
【補正対象書類名】明細書
【補正対象項目名】０００５
【補正方法】変更
【補正の内容】
【０００５】
本発明による固体撮像素子用の撮像装置は物体側から像側に向かって順に、開口絞りと、光軸近傍で物体側に凸面を向けた正の屈折力を有する第１レンズと、光軸近傍で正のメニスカス形状の第２レンズと、光軸近傍で像側に凸面を向けた正の屈折力を有する第３レンズと、
光軸近傍で像側に凹面を向けた負の屈折力を有する第４レンズと、１／５インチ以下の大きさの撮像素子とで構成され、全てのレンズの両面が非球面で形成され、前記第４レンズの像側の非球面には光軸上以外の位置に変極点を有し、以下の条件式（１）、（２）を満足することを特徴とする。
（１）    ０．７５＜ＴＬＡ／（２ＩＨ）＜０．９０
（２）    ０．９０＜ＴＬＡ／ｆ＜１．３０
ただし、
ＴＬＡ：第４レンズと撮像素子間に配置されたフィルタを取り外した際の第１レンズの物体側の面から撮像素子の撮像面までの光軸上の距離
ＩＨ：最大像高
ｆ：撮像レンズ全系の焦点距離
【手続補正５】
【補正対象書類名】明細書
【補正対象項目名】００１０
【補正方法】変更
【補正の内容】
【００１０】
本発明の撮像装置は以下の条件式（３）を満足することが望ましい。
（３）０．４＜ｆ１／ｆ３＜５．５
ただし、
ｆ１：第１レンズの焦点距離
ｆ３：第３レンズの焦点距離
【手続補正６】
【補正対象書類名】明細書
【補正対象項目名】００１２
【補正方法】変更
【補正の内容】
【００１２】
本発明の撮像装置はすべてプラスチック材料で構成され、アッベ数に関して以下の条件式（４）、（５）を満足することが望ましい。
（４）５０≦νｄ≦７０
（５）νｄ１＝νｄ２＝νｄ３＝νｄ４
ただし
νｄ：第１レンズから第４レンズのアッベ数
νｄ１：第１レンズのアッベ数
νｄ２：第２レンズのアッベ数
νｄ３：第３レンズのアッベ数
νｄ４：第４レンズのアッベ数
【手続補正７】
【補正対象書類名】明細書
【補正対象項目名】００１４
【補正方法】変更
【補正の内容】
【００１４】
本発明の撮像装置は以下の条件式（６）を満足することが望ましい。
（６）−２０．０＜（ｒ１＋ｒ２）／（ｒ１−ｒ２）＜−０．５０
ただし、
ｒ１：第１レンズの物体側の面の曲率半径
ｒ２：第１レンズの像側の面の曲率半径
【手続補正８】
【補正対象書類名】明細書
【補正対象項目名】００１６
【補正方法】変更
【補正の内容】
【００１６】
本発明の撮像装置は以下の条件式（７）を満足することが望ましい。
（７）１．００＜ｆ１２３／    ｜ｆ４｜＜１．２０
ただし、
ｆ１２３：第１レンズ、第２レンズ、第３レンズの合成焦点距離
ｆ４：第４レンズの焦点距離
【手続補正９】
【補正対象書類名】明細書
【補正対象項目名】００１８
【補正方法】変更
【補正の内容】
【００１８】
本発明の撮像装置は前記１／５インチ以下の大きさの撮像素子であって、５メガピクセル以下の画素数を有する撮像素子であることが望ましい。
【手続補正１０】
【補正対象書類名】明細書
【補正対象項目名】００２１
【補正方法】変更
【補正の内容】
【００２１】
また、本発明の撮像装置は第１レンズの物体側の面から第２レンズの像側の面のうち少なくとも１面に回折光学面を設けることが望ましい。回折光学面は射出光の屈折率の波長依存性が逆転することを利用して色収差補正を行うものであり、回折光学面を設けることにより、新たなレンズを付加することなく軸上色収差、および倍率色収差の良好な補正を可能にするため、適用する撮像素子のサイズにかかわらず、軸上色収差、倍率色収差を好適に補正した撮像レンズを提供することができる。
【手続補正１１】
【補正対象書類名】明細書
【補正対象項目名】００２２
【補正方法】変更
【補正の内容】
【００２２】
本発明によれば４枚構成でありながら小型（薄型）で、Ｆ値が小さく、比較的広角で、良好に収差が補正された撮像レンズを備えた撮像装置を提供することが出来る。すべてのレンズを同一のプラスチック材料で製造することにより、高い量産性の実現と低コスト化が容易である。